(57)【要約】【課題】スピーカーにおいて、ボイスコイルとセンターポールとが接触することによって発生する異常音を防止する。【解決手段】ボイスコイル４とセンターポール５との間に形成される静電容量を検出して電気信号として出力するスピーカー１において、センターポール５のボイスコイル４と対向して接触し得る部分を非導電材６でコーティングするようにした。【選択図】図１
2008035260.tif 000002
【特許請求の範囲】
【請求項１】
ボイスコイルとセンターポールとの間に形成される静電容量を検出して電気信号として出力するスピーカーにおいて、前記ボイスコイル及び前記センターポールのうちの少なくとも一方の少なくとも前記ボイスコイルと前記センターポールとが対向して接触し得る部分を非導電材でコーティングすることを特徴とするスピーカー。
【発明の詳細な説明】
【技術分野】
【０００１】
本発明は、スピーカーに関する。さらに詳述すると、本発明は、ボイスコイルとセンターポールとの間に形成される静電容量を検出して電気信号として出力するスピーカーに関する。
【背景技術】
【０００２】
スピーカーの音質を向上させる技術としてＭＦＢ（Ｍｏｒｔｉｏｎａｌ  Ｆｅｅｄ  Ｂａｃｋ）回路を搭載したスピーカーが知られている。このＭＦＢ回路は、スピーカーに入力された音声情報を示す電気信号（音声信号とも呼ばれる）に基づいて振動する振動板の動作状態を検出し、その検出結果に基づいて振動板をフィードバック制御するものであり、これにより特に低音域で生じ易い音の歪みを解消することができる。したがって、一般的にＭＦＢ回路は、低音域での再生が難しいとされる小型のスピーカーで採用されることが効果的であるとされている。
【０００３】
ＭＦＢ回路では、電極間に形成される静電容量の変化を検出することによって振動板の動作状態を検出する。具体的には、振動板またはこの振動板を振動させるためのボイスコイルと呼ばれる電磁コイルに電極（以下、可動電極と呼ぶ）を固定すると共に、この可動電極に対して対向するように電極（以下、固定電極と呼ぶ）を固定し、可動電極が固定電極に対して相対的に可動することによって変化した静電容量を検出器で検出して、それを変換回路で電気信号（検出信号とも呼ばれる）に変換して出力する。そして、検出信号と音声信号とを比較装置（例えば、ＣＰＵ）で比較し、その比較結果、すなわち、検出信号の出力レベルと音声信号の出力レベルとの差分に基づいて振動板の動作を適宜に制御する。
【０００４】
上述のような、電極であるボイスコイルとセンターポールとの間に形成される静電容量の変化を検出して電気信号に変換して出力する従来のスピーカーとしては、例えば、図５に示すように、マグネット１０５及び円柱状のセンターポール１０３付きヨーク１０４によって磁気回路を形成すると共に、センターポール１０３とヨーク１０４との間の環状のギャップ１０７内にコイル１０２が巻かれた円筒状のボイスコイル１０１を挿入し、このボイスコイル１０１と振動板１０６とを連接すると共に図示されていないフレームに支持させて振動板１０６を振動させて音響を発生させるものがある（特許文献１）。
【０００５】
【特許文献１】特開昭５３−１２３２０号
【発明の開示】
【発明が解決しようとする課題】
【０００６】
しかしながら、特許文献１のスピーカーでは、電極であるボイスコイル１０１とセンターポール１０３とが接触すると異常信号となって異常音を発するという問題がある。このため、例えばスピーカー自体が振動したり異常な入力があったりした場合にも良好な音響発生状態が確保されるとは言い難い。
【０００７】
そこで、本発明は、ボイスコイルとセンターポールとが接触することによって発生する異常音を防止することができるスピーカーを提供することを目的とする。
【課題を解決するための手段】
【０００８】
かかる目的を達成するため、本発明のスピーカーは、ボイスコイルとセンターポールとの間に形成される静電容量を検出して電気信号として出力するスピーカーにおいて、ボイスコイル及びセンターポールのうちの少なくとも一方の少なくともボイスコイルとセンターポールとが対向して接触し得る部分を非導電材でコーティングするようにしている。
【０００９】
したがって、このスピーカーによると、ボイスコイル及びセンターポールのうちの少なくとも一方のボイスコイルとセンターポールとが接触し得る部分を非導電材でコーティングするようにしているので、ボイスコイルとセンターポールとが接触しても両者は電気的に接続された状態とはならず短絡が防止される。
【発明の効果】
【００１０】
本発明のスピーカーによれば、ボイスコイルとセンターポールとが接触しても両者は電気的に接続された状態とはならず短絡が防止され、両者が接触しても異常信号が生じることがなく、異常音を発することがないので、例えばスピーカー自体が振動したり異常な入力があったりしても良好な音響発生状態を確保することができる。
【発明を実施するための最良の形態】
【００１１】
以下、本発明の構成を図面に示す最良の形態に基づいて詳細に説明する。
【００１２】
図１及び図２に、本発明のスピーカーの実施形態の一例を示す。このスピーカー１は、ボイスコイル４とセンターポール５との間に形成される静電容量を検出して電気信号として出力するものであり、センターポール５のボイスコイル４と対向して接触し得る部分を非導電材６でコーティングするようにしている。
【００１３】
スピーカー１は、ダンパ２、振動板３、ボイスコイル４、センターポール５、マグネット７、ヨークプレート８、ヨークケース９を備える。
【００１４】
ヨークケース９は横断面円形の枡状に形成される。
【００１５】
ヨークプレート８は中央部に貫通孔８ａを有する円板状に形成される。また、ヨークプレート８は、直径がヨークケース９の開口部の直径よりも少なくとも大きく形成される。そして、ヨークプレート８は、貫通孔８ａがヨークケース９の開口部のほぼ中央に位置した状態でヨークケース９の開口部側の端面に固定される。
【００１６】
マグネット７は厚さ一定の円板状に形成される。そして、この円板状のマグネット７の片面とヨークケース９の内側底面９ａとが接着され、マグネット７は内側底面９ａのほぼ中央に固定される。
【００１７】
センターポール５は鉄製であり、円柱状のセンターポール本体５ａと、センターポール本体５ａの途中にセンターポール本体５ａの外周面を取り巻くように形成された帯状突起部５ｂと、センターポール本体５ａの基端に形成されたフランジ５ｃとから構成される。そして、センターポール５のフランジ５ｃ側の端面とヨークケース９の内側底面９ａに固定されたマグネット７とが接着され、円柱状のセンターポール本体５ａの軸心が内側底面９ａに対してほぼ垂直且つ内側底面９ａのほぼ中央に位置した状態でセンターポール５は固定される。
【００１８】
センターポール５の帯状突起部５ｂの外周面は、図２に示すように、非導電材６でコーティングされる。非導電材６は、絶縁性を有するものであって薄くコーティングすることができるものであれば良く、具体的には例えば、フッ素樹脂がミクロンオーダーの厚さでコーティングされる。
【００１９】
センターポール５は、基端側であるフランジ５ｃ側の端面がマグネット７に接着された状態で、帯状突起部５ｂとヨークプレート８の貫通孔８ａとの位置が概ね一致し、さらに、センターポール本体５ａの先端部分が貫通孔８ａからヨークケース９の外部に突出するように形成され配置される。
【００２０】
なお、センターポール５及びヨークケース９は、エンクロージャーと呼ばれる筐体（図示省略）に接続され、接地即ちアースされる。
【００２１】
ボイスコイル４は、両端が開口された円筒状のボビン４ａと、ボビン４ａの外周に帯状に巻き回されたコイル４ｂとから構成される。
【００２２】
ボビン４ａは、内径がセンターポール５の帯状突起部５ｂの外径よりも僅かに大きく、即ちボビン４ａの内周面とセンターポール５の帯状突起部５ｂの外周面との間にエアギャップが形成されるように内径が調整されて形成される。そして、ヨークプレート８の貫通孔８ａからヨークケース９の内部に挿入され、少なくとも帯状突起部５ｂを覆ってセンターポール本体５ａに被せられる。
【００２３】
コイル４ｂは、ボビン４ａがセンターポール本体５ａに被せられた状態でヨークプレート８の貫通孔８ａと対向する位置のボビン４ａの外周に巻き回される。なお、コイル４ｂとしては、具体的には例えば、エナメル線や導線などの導電体が用いられる。
【００２４】
ヨークプレート８の貫通孔８ａは、ボビン４ａがセンターポール本体５ａに被せられた状態で、ボビン４ａの外周に巻き回されたコイル４ｂの外周面と貫通孔８ａの内周面との間にエアギャップが形成されるように直径が調整されて形成される。
【００２５】
ボイスコイル４のボビン４ａにはダンパ２及び振動板３が取り付けられる。ダンパ２は複数の屈曲部を有すると共に中央にボビン４ａを貫通させるための孔を有する円形の薄板であり、中央の孔の縁部がボビン４ａの外周面に接着剤で接合され、外周縁部がフレーム１２に接着剤で接合される。振動板３は所謂コーン紙として機能するものであり、底部にボビン４ａを貫通させるための孔を有するすり鉢状に形成され、底部の孔の縁部がボビン４ａの外周面に接着剤で接合され、外周縁部がジョイント１３を介してフレーム１２に接合される。ダンパ２及び振動板３は可撓性を有する材料で形成され、ボイスコイル４は円筒状ボビン４ａの軸心方向に振動自在に支持される。
【００２６】
フレーム１２は、底部のほぼ中央にボビン４ａを貫通させるための孔を有するすり鉢状に形成される。そして、底部がヨークプレート８に接着剤で接合され、外周縁部が前記エンクロージャーと呼ばれる筐体にビスや接着剤などで接合され、接地される。
【００２７】
ボイスコイル４のヨークケース９と反対側の開口部４ｃはセンターキャップ１４によって覆われる。センターキャップ１４はアルミ等からなり、ドーム状に形成された本体部１４ａと、本体部１４ａの外周縁に沿って形成された鍔部１４ｂとからなる。センターキャップ１４は、鍔部１４ｂが振動板３に接着剤で接合され、振動板３に固定される。
【００２８】
以上のように構成されたスピーカー１によれば、音声信号がボイスコイル４に入力され、即ちボイスコイル４のコイル４ｂに音声信号を示す電流が流れ、この電流と、センターポール５及びマグネット７並びにヨークケース９及びヨークプレート８の間に形成される磁束とによる励磁作用によってボイスコイル４が円筒状ボビン４ａの軸心方向に振動する。これに伴ってダンパ２及び振動板３が振動してスピーカー１から音響が発せられる。
【００２９】
そして、本発明のスピーカー１によれば、ボイスコイル４のボビン４ａ内周面と接触する可能性があるセンターポール５の帯状突起部５ｂの外周面に非導電材６によって絶縁コーティングが施されているので、ボイスコイル４とセンターポール５とが接触しても両者の接触によって異常信号が生じることがなく、したがって異常音の発生が防止される。
【００３０】
なお、上述の形態は本発明の好適な形態の一例ではあるがこれに限定されるものではなく、本発明の要旨を逸脱しない範囲において種々変形実施可能である。例えば、本実施形態では、センターポール５のボイスコイル４との対向部分である帯状突起部５ｂの外周面が非導電材６でコーティングされるようにしているが、これに限られず、ボイスコイル４のセンターポール５との対向部分が非導電材６でコーティングされるようにしても良いし、センターポール５及びボイスコイル４両方の対向部分が非導電材６でコーティングされるようにしてもよい。具体的には、図３に示すように、ボイスコイル４のボビン４ａの内周面のうちセンターポール５の帯状突起部５ｂと接触する可能性がある部分である帯状突起部５ｂとの対向部分が非導電材６で帯状にコーティングされるようにしても良い。この際、ボイスコイル４は円筒状ボビン４ａの軸心方向に振動するので、ボイスコイル４の振動の最大振幅を考慮した範囲が非導電材６で帯状にコーティングされる。また、図４に示すように、ボイスコイル４のボビン４ａの内周面のうちセンターポール５の帯状突起部５ｂと対向する部分が非導電材６で帯状にコーティングされると共にセンターポール５のボイスコイル４と対向して接触し得る部分である帯状突起部５ｂの外周面が非導電材６でコーティングされるようにしても良い。
【００３１】
さらに、本発明は、ボイスコイルとセンターポールとの間に形成される静電容量を検出して電気信号として出力するスピーカーであればどのような構成のスピーカーに対しても適用可能であり、本発明のスピーカーの構成は本実施形態のスピーカー１の構成に限られるものではない。
【図面の簡単な説明】
【００３２】
【図１】本発明のスピーカーの実施形態の一例を示す縦断面図である。
【図２】図１の実施形態のセンターポールとボイスコイルとの対向部分であって非導電材によるコーティング部分の拡大縦断面図である。
【図３】他の実施形態のセンターポールとボイスコイルとの対向部分であって非導電材によるコーティング部分の拡大縦断面図である。
【図４】更に他の実施形態のセンターポールとボイスコイルとの対向部分であって非導電材によるコーティング部分の拡大縦断面図である。
【図５】従来のスピーカーを示す縦断面図である。
【符号の説明】
【００３３】
１  スピーカー
４  ボイスコイル
５  センターポール
６  非導電材
【図１】
2008035260.tif 000003
【図２】
2008035260.tif 000004
【図３】
2008035260.tif 000005
【図４】
2008035260.tif 000006
【図５】
2008035260.tif 000007